(57)【要約】【課題】アームに外力が作用した場合の破損を抑制することができる商品陳列用フックを提供する。【解決手段】商品陳列用什器に取り付けられる商品陳列用フックであって、商品陳列用什器の横線材に係合可能なフック本体と、基端部に形成された回転軸でフック本体に回転可能に取り付けられ、回転軸と交差する方向に所定値以上の外力が作用した場合に回転軸を回転中心として回転するアームと、を備え、フック本体は、回転軸を離隔して回転支持する一対の軸受部を有し、軸受部に互いに離隔して回転軸方向に突出して形成された一対の凸部を有し、凸部が軸受部に回転支持されたアームの外周面の一部に嵌まり込んでアームの回転を阻止する。【選択図】図１
2018153276.tif 000002
【特許請求の範囲】
【請求項１】
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備えた、
ことを特徴とする商品陳列用フック。
【請求項２】
前記フック本体は、前記回転軸を離隔して回転支持する一対の軸受部を有し、前記軸受部に互いに離隔して前記回転軸方向に突出して形成された一対の凸部を有し、前記凸部が前記軸受部に回転支持された前記アームの外周面の一部に嵌まり込んで前記アームの回転を阻止する、
ことを特徴とする請求項１に記載の商品陳列用フック。
【請求項３】
前記一対の軸受部の一方は、前記回転軸と交差する方向に開口する開口部を有し、前記開口部から前記回転軸を受け入れて前記アームを回転支持する、
ことを特徴とする請求項２に記載の商品陳列用フック。
【請求項４】
前記フック本体は、表面に凹部が形成され、前記アームの前記基端部に設けられた凸部が前記凹部に係合して前記アームの回転を阻止する、
ことを特徴とする請求項１に記載の商品陳列用フック。
【請求項５】
前記凹部は、前記フック本体の前記表面に基端を有し、先端が前記凸部と接触して撓む板状の板部に形成されている、
ことを特徴とする請求項４に記載の商品陳列用フック。
【請求項６】
前記アームは、前記回転軸方向に離隔して複数設けられている、
ことを特徴とする請求項１ないし５のいずれか１項に記載の商品陳列用フック。
【請求項７】
前記フック本体及び前記アームは、繊維状充填材を含む合成樹脂からなる、
ことを特徴とする請求項１ないし６のいずれか１項に記載の商品陳列用フック。
【請求項８】
前記フック本体及び前記アームは、繊維状充填材を含まない合成樹脂からなる、
ことを特徴とする請求項１ないし６のいずれか１項に記載の商品陳列用フック。  
【発明の詳細な説明】
【技術分野】
【０００１】
本発明は、商品陳列用フックに関する。
【背景技術】
【０００２】
棒状の商品支持アームに商品を吊り下げて陳列する商品陳列用フックにおいて、商品支持アームは、硬質で曲げ弾性に富む材料から成る芯部材と、芯部材の軸線方向の全体を被覆する軟質で弾性変形可能な材料から成る被覆部材と、から構成された商品陳列用フックが知られている（特許文献１）。
【０００３】
陳列商品の情報カード等を保持する表示保持部と、表示保持部と一体又は一体的に接続される回動体と、回動体を回動体保持部の間に水平方向に回動自在に枢設するとともに、固定部側に取り付けられる取付具本体と、を有し、回動体と取付具本体は、いずれか一方に形成された略平面状の当接面に、いずれか他方に形成された板状弾性体を押し付けるようにして、表示保持部側に作用する左右方向の外力に対して表示保持部を揺動させ、且つ元に復帰させる弾性自動復帰機構を形成する陳列商品の情報表示具も知られている（特許文献２）。
【先行技術文献】
【特許文献】
【０００４】
【特許文献１】特開２０１０−２１３８８１号公報
【特許文献２】特開２００６−１６３０４１号公報
【発明の概要】
【発明が解決しようとする課題】
【０００５】
本発明は、アームに外力が作用した場合の破損を抑制することができる商品陳列用フックを提供することを目的とする。
【課題を解決するための手段】
【０００６】
前記課題を解決するために、請求項１に記載の商品陳列用フックは、
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備えた、
ことを特徴とする。
【０００７】
請求項２に記載の発明は、請求項１に記載の商品陳列用フックにおいて、
前記フック本体は、前記回転軸を離隔して回転支持する一対の軸受部を有し、前記軸受部に互いに離隔して前記回転軸方向に突出して形成された一対の凸部を有し、前記凸部が前記軸受部に回転支持された前記アームの外周面の一部に嵌まり込んで前記アームの回転を阻止する、
ことを特徴とする。
【０００８】
請求項３に記載の発明は、請求項２に記載の商品陳列用フックにおいて、
前記一対の軸受部の一方は、前記回転軸と交差する方向に開口する開口部を有し、前記開口部から前記回転軸を受け入れて前記アームを回転支持する、
ことを特徴とする。
【０００９】
請求項４に記載の発明は、請求項１に記載の商品陳列用フックにおいて、
前記フック本体は、表面に凹部が形成され、前記アームの前記基端部に設けられた凸部が前記凹部に係合して前記アームの回転を阻止する、
ことを特徴とする。
【００１０】
請求項５に記載の発明は、請求項４に記載の商品陳列用フックにおいて、
前記凹部は、前記フック本体の前記表面に基端を有し、先端が前記凸部と接触して撓む板状の板部に形成されている、
ことを特徴とする。
【００１１】
請求項６に記載の発明は、請求項１ないし５のいずれか１項に記載の商品陳列用フックにおいて、
前記アームは、前記回転軸方向に離隔して複数設けられている、
ことを特徴とする。
【００１２】
請求項７に記載の発明は、請求項１ないし６のいずれか１項に記載の商品陳列用フックにおいて、
前記フック本体及び前記アームは、繊維状充填材を含む合成樹脂からなる、
ことを特徴とする。
【００１３】
請求項８に記載の発明は、請求項１ないし６のいずれか１項に記載の商品陳列用フックにおいて、
前記フック本体及び前記アームは、繊維状充填材を含まない合成樹脂からなる、
ことを特徴とする。
【発明の効果】
【００１４】
請求項１記載の発明によれば、アームに外力が作用した際のアームの破損を抑制することができる。
【００１５】
請求項２に記載の発明によれば、アームの左右方向の動きを阻止することができる。
【００１６】
請求項３記載の発明によれば、フック本体にアームを容易に取り付けることができる。
【００１７】
請求項４記載の発明によれば、アームの左右方向の動きを阻止することができる。
【００１８】
請求項５記載の発明によれば、フック本体にアームを容易に取り付けることができる。
【００１９】
請求項６記載の発明によれば、態様の異なる複数種類の物品を陳列することができる。
【００２０】
請求項７記載の発明によれば、フック本体及びアームの剛性を増加させることができる。
【００２１】
請求項８記載の発明によれば、フック本体とアームの組み立て性を向上させることができる。
【図面の簡単な説明】
【００２２】
【図１】（ａ）は第１実施形態に係る商品陳列用フックの全体構成を示す斜視図、（ｂ）はアームが回転した状態を示す斜視図である。
【図２】（ａ）は商品陳列用フックの使用状態を示す斜視図、（ｂ）は商品陳列用フックの使用状態を示す側面図である。
【図３】（ａ）はフック本体の斜視図、（ｂ）は表面を示す正面図、（ｃ）は裏面を示す背面図である。
【図４】（ａ）はフック本体の軸受部に形成された凸部とアーム本体部との嵌まり合いを説明する部分拡大図、（ｂ）はアームが回転したときのフック本体の軸受部に形成された凸部に対するアーム本体部の位置を示す部分拡大図である。
【図５】フック本体とアームの組み付けを示す図であり、（ａ）はフック本体の軸受部の開口部にアームの基端部の小径部を挿入する状態を示す図、（ｂ）はアームを上方にスライド移動させてフック本体の軸受部の孔部に回転軸を挿入する状態を示す図である
【図６】第１実施形態の変形例に係る商品陳列用フックの全体構成を示す斜視図である。
【図７】（ａ）は第２実施形態に係る商品陳列用フックの全体構成を示す斜視図、（ｂ）はアームが回転した状態を示す斜視図である。
【図８】（ａ）は第２実施形態に係るフック本体の斜視図、（ｂ）は表面を示す正面図、（ｃ）は裏面を示す背面図である。
【図９】（ａ）は第２実施形態に係るアームの斜視図、（ｂ）は第２実施形態に係るアームの側面図である。
【図１０】（ａ）は図７（ａ）におけるＡ−Ａ断面模式図、（ｂ）は図７（ｂ）におけるＡ−Ａ断面模式図である。
【図１１】第２実施形態の変形例に係る商品陳列用フックの全体構成を示す斜視図である。
【発明を実施するための形態】
【００２３】
次に図面を参照しながら、本発明の実施形態の具体例を説明するが、本発明は以下の実施形態に限定されるものではない。
尚、以下の図面を使用した説明において、図面は模式的なものであり、各寸法の比率等は現実のものとは異なることに留意すべきであり、理解の容易のために説明に必要な部材以外の図示は適宜省略されている。
また、以後の説明の理解を容易にするために、図面において、左右方向をＸ方向、前後方向をＹ方向、上下方向をＺ方向とする。
【００２４】
「第１実施形態」
（１）商品陳列用フック
図１（ａ）は商品陳列用フック１の全体構成を示す斜視図、（ｂ）はアームが回転した状態を示す斜視図、図２（ａ）は商品陳列用フック１の使用状態を示す斜視図、（ｂ）は商品陳列用フック１の使用状態を示す側面図、図３（ａ）はフック本体１０の斜視図、（ｂ）はフック本体１０の表面１０ａを示す正面図、（ｃ）はフック本体１０の裏面１０ｂを示す背面図、図４（ａ）はフック本体１０の軸受部１４に形成された凸部１４ａ、１４ｂとアーム本体部２２との嵌まり合いを説明する部分拡大図、（ｂ）はアーム２０が回転したときのフック本体１０の軸受部１４に形成された凸部１４ａ、１４ｂに対するアーム本体部２２の位置を示す部分拡大図、図５はフック本体１０とアーム２０の組み付けを示す図であり、（ａ）はフック本体１０の軸受部１３の開口部１３ａにアーム２０の基端部２１の小径部２１ａを挿入する状態を示す図、（ｂ）はアーム２０を上方にスライド移動させてフック本体１０の軸受部１４の孔部１４ｄに回転軸２５を挿入する状態を示す図である。以下、図面を参照しながら、本実施形態に係る商品陳列用フック１の構成と動作について説明する。
【００２５】
（１．１）商品陳列用フックの全体構成
商品陳列用フック１は、図１及び図２に示すように、商品陳列用什器１００の横線材１０１に係合可能なフック本体１０と、フック本体１０に回転可能に取り付けられたアーム２０とから構成されている。
【００２６】
フック本体１０は、図２及び図３に示すように、商品陳列用什器１００の横線材１０１に係止可能に下向きに開放した略Ｕ字形の係止片１１を有している。係止片１１の内側には、突起部１１ａが形成され、係止片１１が商品陳列用什器１００の横線材１０１にスナップフィットで嵌まり込んで脱落を防止するようになっている。
フック本体１０の裏面１０ｂには、横断面視で円弧状の溝１２が上下方向（Ｚ方向）に延びるように形成され、溝１２が商品陳列用什器１００の縦線材１０２に嵌まり合うことで、商品陳列用什器１００の横線材１０１に係止されたフック本体１０の左右方向（Ｘ方向）の振れを防止している。
【００２７】
フック本体１０の表面１０ａには、後述するアーム２０の回転軸２４、２５を回転支持する一対の軸受部１３、１４が離隔して形成されている。
軸受部１３は、前面側に開口する開口部１３ａを有し、開口部１３ａからアーム２０の回転軸２４を受け入れてアーム２０の一端側を回転支持する。
軸受部１４は、孔部１４ｄを有し、アーム２０の回転軸２５を受け入れてアーム２０の他端側を回転支持する。
【００２８】
アーム２０は、基端部２１と、基端部２１からフック本体１０の前方（Ｙ方向）に向かって、略水平方向に延びる丸棒状のアーム本体部２２と、アーム本体部２２の先端側から斜め上方（Ｚ方向）に向くように突出して一体に形成されたアーム先端部２３からなる。アーム本体部２２は、水平に対して僅かに上方（Ｚ方向）へ傾斜して形成され（図２（ｂ）中  Θ参照）、一定の重量を有する商品Ｓが多数吊り下げられた場合にも、下方へ垂れ下がるのを抑制している。
【００２９】
アーム２０の基端部２１には、アーム本体部２２と交差する方向（Ｚ方向）に突出して回転軸２４、２５が形成されている。回転軸２４、２５は、フック本体１０に設けられた軸受部１３、１４に回転支持されて、アーム本体部２２又はアーム先端部２３に水平方向（Ｘ方向）の外力が所定値を超えて作用した場合に回転可能となっている。
【００３０】
フック本体１０及びアーム２０の材料としては、繊維状充填材を含む合成樹脂を用いることができる。具体的には、ＰＯＭ樹脂、ＡＢＳ樹脂、ＰＰ樹脂等の熱可塑性樹脂に、繊維状充填材としてガラス繊維を１０％〜３０％充填した合成樹脂を用いて射出成形により形成される。特に、ガラス繊維を１０％〜３０％充填したＰＯＭ樹脂を用いた場合には、フック本体１０とアーム２０の取付け部を含めて、その強度と、アーム２０に外力が作用した場合の耐衝撃性をより向上させることができる。
【００３１】
フック本体１０及びアーム２０の材料としては、繊維状充填材を含まない合成樹脂を用いることもできる。合成樹脂としては、具体的には、ＰＯＭ樹脂、ＡＢＳ樹脂、ＰＰ樹脂等の熱可塑性樹脂が挙げられる。繊維状充填材を含まない合成樹脂を用いて射出成形により形成した場合には、フック本体１０の軸受部１３、１４へのアーム２０の回転軸２４、２５の組み付けをより容易に行なうことができる。
【００３２】
（１．２）アームの保持構造
軸受部１４には、アーム２０の回転軸２４、２５方向（−Ｚ方向）に突出する一対の凸部１４ａ、１４ｂが互いに離隔して形成されている。凸部１４ａ、１４ｂは、軸受部１３、１４に回転支持されたアーム本体部２２の外周面２２ａの一部が嵌まり込むことで、アーム２０の水平方向（Ｘ方向）の回転を阻止する。
【００３３】
図４に示すように、軸受部１４に形成された凸部１４ａ、１４ｂは互いに離隔して、断面視で先端部が下方（−Ｚ方向）に凹となるＲ形状部１４ｃで連結されて形成されている。アーム本体部２２は、断面視が円形の丸棒であり、外周面２２ａの一部が凸部１４ａ、１４ｂのＲ形状部１４ｃに嵌まり込んで、左右方向（Ｘ方向）に回転不能に保持されている。係る状態で、アーム２０に水平方向に外力Ｆが所定値ＦＭＡＸを越えて作用した場合、アーム本体部２２の外周面２２ａの一部は凸部１４ａ、１４ｂのＲ形状部１４ｃを乗り越えて外力の作用方向（Ｘ方向）に回転する（図４（ｂ）参照）。
【００３４】
凸部１４ａ、１４ｂの下方（−Ｚ方向）への突出高さＨ１、離隔幅Ｌは、アーム本体部２２の直径Ｄと、アーム２０に作用する水平方向の外力Ｆの所定値ＦＭＡＸによって決定される。
【００３５】
本実施形態においては、一例として、アーム本体部２２の直径Ｄ＝６ｍｍの場合、突出高さＨ１＝０．６ｍｍ〜１．０ｍｍ、離隔幅Ｌ＝４ｍｍ〜５ｍｍとすることで、１０Ｎないし２０Ｎの水平外力Ｆが作用した場合に、アーム２０が凸部１４ａ、１４ｂを乗り越えて外力の作用方向（Ｘ方向）に回転する。これにより、アーム２０に水平方向に所定値ＦＭＡＸを超えた外力Ｆが作用した場合には、アーム２０が回転して商品陳列用フック１の破損を抑制することができる。
【００３６】
（１．３）フック本体へのアームの組み付け
商品陳列用フック１は、図５に示すように、まず、フック本体１０の軸受部１３の開口部１３ａ（図３  参照）にアーム２０の基端部２１の小径部２１ａを挿入する（図５（ａ）中  矢印参照）。小径部２１ａは、開口部１３ａの開口幅Ｗ（図３（ｂ）  参照）よりも僅かに大きく形成され、容易に挿入される。
【００３７】
次に、アーム２０を上方（Ｚ方向）にスライド移動させて（図５（ｂ）中  矢印参照）、フック本体１０の軸受部１４の孔部１４ｄ（図３（ａ）  参照）に回転軸２５を挿入する。アーム２０の基端部２１には、小径部２１ａと回転軸２４の間に回転軸２４の径方向に膨出するように形成された膨出部２１ｂが形成され、膨出部２１ｂが軸受部１３の上面１３ｂに掛かることで、アーム２０がフック本体１０の軸受部１３、１４に回転支持された状態になる。
【００３８】
（１．４）商品陳列用フックの動作
このように構成された商品陳列用フック１は、図２に示すように、フック本体１０で商品陳列用什器１００に係止される。このとき、係止片１１が商品陳列用什器１００の横線材１０１にスナップフィットで嵌まり込んで係止され、縦方向に延びる縦線材１０２がフック本体１０の裏面１０ｂに形成された溝１２に嵌まり込んでフック本体１０が略垂直に固定される。
フック本体１０に回転支持されたアーム２０は、アーム本体部２２の外周面２２ａの一部がフック本体１０の凸部１４ａ、１４ｂのＲ形状部１４ｃに嵌まり込んで、左右方向（Ｘ方向）に回転不能に保持されて略水平に前方（Ｙ方向）へ延びた状態で延出している。
【００３９】
そして、アーム本体部２２には、多数の商品が吊り下げられる。係る商品陳列状態で、アーム２０に水平方向（Ｘ方向）に所定値ＦＭＡＸを超えた外力Ｆが作用した場合には、アーム２０が回転して商品陳列用フック１の破損を抑制することができる。
【００４０】
「変形例」
図６は変形例に係る商品陳列用フック２の全体構成を示す斜視図である。図６に示すように、商品陳列用フック２は、商品陳列用什器１００の横線材１０１に係合可能なフック本体２００と、フック本体２００に回転可能に取り付けられたアーム２１０とから構成されている。
【００４１】
アーム２１０は、基端部２１１と、基端部２１１の下方からフック本体２００の前方（Ｙ方向）に向かって、略水平方向に延びる丸棒状の第１のアーム本体部２１２と、基端部２１１の上方からフック本体２００の前方（Ｙ方向）に向かって、略水平方向に延びる丸棒状の第２のアーム本体部２１３とからなる。
【００４２】
フック本体２００の表面２００ａには、アーム２１０の回転軸２１４、２１５を回転支持する一対の軸受部２０３、２０４が基端部２１１の上下方向の長さに合わせて離隔して形成されている。
軸受部２０４には、アーム２１０の回転軸２１４、２１５方向（−Ｚ方向）に突出する一対の凸部２０４ａ、２０４ｂが互いに離隔して形成され、凸部２０４ａ、２０４ｂは、軸受部２０３、２０４に回転支持されたアーム２１０の第２のアーム本体部２１３の外周面２１３ａの一部が嵌まり込むことで、アーム２１０の水平方向（Ｘ方向）の回転を阻止する。
【００４３】
係る状態で、アーム２１０に水平方向に外力Ｆが所定値ＦＭＡＸを越えて作用した場合、第２のアーム本体部２１３の外周面２１３ａの一部は凸部２０４ａ、２０４ｂを乗り越えて外力の作用方向（Ｘ方向）に回転する。
【００４４】
このように構成される商品陳列用フック２においては、第１のアーム本体部２１２に陳列する商品Ｓが吊り下げられ、第２のアーム本体部２１３の先端部には、他の物品の一例として、商品Ｓの内容を表示した表示板を取り付けることができる。
【００４５】
「第２実施形態」
図７（ａ）は商品陳列用フック１Ａの全体構成を示す斜視図、（ｂ）はアーム２０Ａが回転した状態を示す斜視図、図８（ａ）はフック本体１０Ａの斜視図、（ｂ）は表面を示す正面図、（ｃ）は裏面を示す背面図、図９（ａ）はアーム２０Ａの斜視図、（ｂ）はアーム２０Ａの側面図、図１０（ａ）は図７（ａ）におけるＡ−Ａ断面模式図、（ｂ）は図７（ｂ）におけるＡ−Ａ断面模式図である。
以下、図面を参照しながら、商品陳列用フック１Ａについて説明するが、第１実施形態に係る商品陳列用フック１と共通の構成要素には、同一の符号を付し、その詳細な説明は省略する。
【００４６】
商品陳列用フック１Ａは、図７に示すように、商品陳列用什器１００の横線材１０１（図２  参照）に係合可能なフック本体１０Ａと、フック本体１０Ａに回転可能に取り付けられたアーム２０Ａとから構成されている。
【００４７】
フック本体１０Ａは、図８に示すように、商品陳列用什器１００の横線材１０１に係止可能に下向きに開放した略Ｕ字形の係止片１１を有している。係止片１１の内側には、突起部１１ａが形成され、係止片１１が商品陳列用什器１００の横線材１０１にスナップフィットで嵌まり込んで脱落を防止するようになっている。
フック本体１０Ａの裏面１０Ａｂには、横断面視で円弧状の溝１２が上下方向（Ｚ方向）に延びるように形成され、溝１２が商品陳列用什器１００の縦線材１０２に嵌まり合うことで、商品陳列用什器１００の横線材１０１に係止されたフック本体１０Ａの左右方向（Ｘ方向）の振れを防止している。
【００４８】
フック本体１０Ａの表面１０Ａａには、アーム２０Ａの回転軸２４Ａを回転支持する軸受部１３Ａが形成されている。
軸受部１３Ａは、孔部１３Ａａを有し、孔部１３Ａａにアーム２０Ａの回転軸２４Ａを受け入れてアーム２０Ａを回転支持する。軸受部１３Ａの下方（−Ｚ方向）には、表面１０Ａａ側に開口する凹溝１５が形成され、軸受部１３Ａで回転支持されるアーム２０Ａの回転軸２４Ａの外周面２４Ａａを受けて摺動しながら回転支持する。
【００４９】
軸受部１３Ａの上方（Ｚ方向）には、フック本体１０の表面１０Ａａに基端部１６ａを有し先端部１６ｂが自由端となった板状の板部１６が形成されている。板部１６の先端側には凹部１６ｃが形成されている。
【００５０】
図９に示すように、アーム２０Ａは、基端部２１Ａと、基端部２１Ａから略水平方向に延びる丸棒状のアーム本体部２２と、アーム本体部２２の先端側から斜め上方（Ｚ方向）に向くように突出して一体に形成されたアーム先端部２３からなる。
【００５１】
アーム２０Ａの基端部２１Ａには、アーム本体部２２と反対側に突出する凸部２１Ａａが形成されている。凸部２１Ａａは、アーム２０Ａの回転軸２４Ａがフック本体１０Ａの軸受部１３Ａと凹溝１５に回転支持された状態で、フック本体１０の板部１６に形成された凹部１６ｃに嵌まり合って左右方向（Ｘ方向）に回転不能に保持される。
【００５２】
フック本体１０Ａ及びアーム２０Ａの材料としては、繊維状充填材を含む合成樹脂を用いることができる。具体的には、ＰＯＭ樹脂、ＡＢＳ樹脂、ＰＰ樹脂等の熱可塑性樹脂に、繊維状充填材としてガラス繊維を１０％〜３０％充填した合成樹脂を用いて射出成形により形成される。特に、ガラス繊維を１０％〜３０％充填したＰＯＭ樹脂を用いた場合には、フック本体１０Ａとアーム２０Ａの取付け部を含めて、その強度と、アーム２０に外力が作用した場合の耐衝撃性を向上させることができる。
【００５３】
（１．２）アームの保持構造
図１０（ａ）に示すように、フック本体１０Ａには、先端側が可撓性を有する板部１６が設けられ、板部１６の先端側には凹部１６ｃが形成されている。凹部１６ｃは、断面視でＲ形状とされ、軸受部１３Ａと凹溝１５で回転支持されるアーム２０Ａの基端部２１Ａに設けられた凸部２１Ａａが嵌まり込んでアーム２０Ａの水平方向（Ｘ方向）の回転を阻止することで、アーム２０Ａは、フック本体１０Ａに対して、略水平に前方（Ｙ方向）へ延びた状態で延出している。
【００５４】
アーム２０Ａに水平方向に所定値ＦＭＡＸを超えた外力Ｆが作用した場合には、アーム２０Ａの基端部２１Ａに設けられた凸部２１Ａａが板部１６の凹部１６ｃを乗り越えて外力の作用方向（Ｘ方向）に回転する（図１０（ｂ）参照）。
【００５５】
凸部２１Ａａの突出高さＨ２、凹部１６ｃの凹部深さＨ３、板部１６の基端側からの長さＬ１（図８  参照）は、アーム２０Ａに作用する水平方向の外力Ｆの所定値ＦＭＡＸによって決定される。
【００５６】
本実施形態においては、一例として、凸部２１Ａａの突出高さＨ２＝１ｍｍ、凹部１６ｃの凹部深さＨ３＝０．７５ｍｍ、板部１６の基端側からの長さＬ１＝１１ｍｍとすることで、１０Ｎないし２０Ｎの水平外力Ｆが作用した場合に、板部１６の凹部１６ｃを乗り越えて外力の作用方向（Ｘ方向）に回転する（図１０（ｂ）参照）。これにより、アーム２０Ａに水平方向に所定値ＦＭＡＸを超えた外力Ｆが作用した場合には、アーム２０Ａが回転して商品陳列用フック１Ａの破損を抑制することができる。
【００５７】
「変形例」
図１１は変形例に係る商品陳列用フック３の全体構成を示す斜視図である。図１１に示すように、商品陳列用フック３は、商品陳列用什器１００の横線材１０１に係合可能なフック本体３００と、フック本体３００に回転可能に取り付けられたアーム３１０とから構成されている。
【００５８】
アーム３１０は、基端部３１１と、基端部３１１の下方からフック本体３００の前方（Ｙ方向）に向かって、略水平方向に延びる丸棒状の第１のアーム本体部３１２と、基端部３１１の上方からフック本体３００の前方（Ｙ方向）に向かって、略水平方向に延びる丸棒状の第２のアーム本体部３１３とからなる。
【００５９】
フック本体３００の表面３００ａには、アーム３１０の回転軸３１５を回転支持する軸受部３０３とアーム３１０の基端部３１１の丸棒部３１１ａを回転支持する軸受部３０４が離隔して形成されている。
【００６０】
アーム３１０は、基端部３１１の丸棒部３１１ａが一端が開口した軸受部３０４に嵌め込まれて、アーム３１０を下方（−Ｚ方向）にスライド移動（図中  矢印参照）させて基端部３１１の一端に形成された回転軸３１５が軸受部３０３に挿通されて、フック本体３００に回転可能に支持される。また、アーム３１０の保持構造は、本実施形態に係る商品陳列用フック１Ａと同様である。
【００６１】
このように構成される商品陳列用フック３においては、第１のアーム本体部３１２に陳列する商品Ｓが吊り下げられ、第２のアーム本体部３１３の先端部には、他の物品の一例として、商品Ｓの内容を表示した表示板を取り付けることができる。
【符号の説明】
【００６２】
１、１Ａ、２、３・・・商品陳列用フック
１０、１０Ａ、２００、３００・・・フック本体
１１・・・係止片
１２・・・溝
１３、１４、１３Ａ、２０３、２０４、３０３、３０４・・・軸受部
１３ａ・・・開口部
１４ａ、１４ｂ・・・凸部（軸受部）
１４ｄ、１３Ａａ・・・孔部
１５・・・凹溝
１６・・・板部
１６ａ・・・基端部（板部）
１６ｂ・・・先端部（板部）
１６ｃ・・・凹部（板部）
２０、２０Ａ、２１０、３１０・・・アーム
２１、２１Ａ、２１１、３１１・・・基端部
２１Ａａ・・・凸部（基端部）
２２・・・アーム本体部
２１２、３１２・・・第１のアーム本体部
２１３、３１３・・・第２のアーム本体部
２３・・・アーム先端部
１００・・・商品陳列什器
１０１・・・横線材
１０２・・・縦線材
【図１】
2018153276.tif 000003
【図２】
2018153276.tif 000004
【図３】
2018153276.tif 000005
【図４】
2018153276.tif 000006
【図５】
2018153276.tif 000007
【図６】
2018153276.tif 000008
【図７】
2018153276.tif 000009
【図８】
2018153276.tif 000010
【図９】
2018153276.tif 000011
【図１０】
2018153276.tif 000012
【図１１】
2018153276.tif 000013
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備え、
前記フック本体は、前記回転軸を離隔して回転支持する一対の軸受部を有し、前記軸受部に互いに離隔して前記回転軸方向に突出して形成された一対の凸部を有し、前記凸部が前記軸受部に回転支持された前記アームの外周面の一部に嵌まり込んで前記アームの回転を阻止する、
ことを特徴とする商品陳列用フック。
【請求項２】
前記一対の軸受部の一方は、前記回転軸と交差する方向に開口する開口部を有し、前記開口部から前記回転軸を受け入れて前記アームを回転支持する、
ことを特徴とする請求項１に記載の商品陳列用フック。
【請求項３】
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備え、
前記フック本体は、先端部が自由端とされ可撓性の板状の板部に形成された凹部を有し、前記アームの前記基端部に設けられた凸部が前記凹部に係合して前記アームの回転を阻止する、
ことを特徴とする商品陳列用フック。
【請求項４】
前記アームは、前記回転軸方向に離隔して複数設けられている、
ことを特徴とする請求項１ないし３のいずれか１項に記載の商品陳列用フック。
【請求項５】
前記フック本体及び前記アームは、繊維状充填材を含む合成樹脂からなる、
ことを特徴とする請求項１ないし４のいずれか１項に記載の商品陳列用フック。
【請求項６】
前記フック本体及び前記アームは、繊維状充填材を含まない合成樹脂からなる、
ことを特徴とする請求項１ないし４のいずれか１項に記載の商品陳列用フック。
【手続補正２】
【補正対象書類名】明細書
【補正対象項目名】０００６
【補正方法】変更
【補正の内容】
【０００６】
前記課題を解決するために、請求項１に記載の商品陳列用フックは、
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備え、
前記フック本体は、前記回転軸を離隔して回転支持する一対の軸受部を有し、前記軸受部に互いに離隔して前記回転軸方向に突出して形成された一対の凸部を有し、前記凸部が前記軸受部に回転支持された前記アームの外周面の一部に嵌まり込んで前記アームの回転を阻止する、
ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載の商品陳列用フックにおいて、
前記一対の軸受部の一方は、前記回転軸と交差する方向に開口する開口部を有し、前記開口部から前記回転軸を受け入れて前記アームを回転支持する、
ことを特徴とする。
【手続補正５】
【補正対象書類名】明細書
【補正対象項目名】０００９
【補正方法】変更
【補正の内容】
【０００９】
前記課題を解決するために、請求項３に記載の商品陳列用フックは、
商品陳列用什器に取り付けられる商品陳列用フックであって、
前記商品陳列用什器の横線材に係合可能なフック本体と、
基端部に形成された回転軸で前記フック本体に回転可能に取り付けられ、前記回転軸と交差する方向に所定値以上の外力が作用した場合に前記回転軸を回転中心として回転するアームと、を備え、
前記フック本体は、先端部が自由端とされ可撓性の板状の板部に形成された凹部を有し、前記アームの前記基端部に設けられた凸部が前記凹部に係合して前記アームの回転を阻止する、
ことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項４に記載の発明は、請求項１ないし３のいずれか１項に記載の商品陳列用フックにおいて、
前記アームは、前記回転軸方向に離隔して複数設けられている、
ことを特徴とする。
【手続補正８】
【補正対象書類名】明細書
【補正対象項目名】００１２
【補正方法】変更
【補正の内容】
【００１２】
請求項５に記載の発明は、請求項１ないし４のいずれか１項に記載の商品陳列用フックにおいて、
前記フック本体及び前記アームは、繊維状充填材を含む合成樹脂からなる、
ことを特徴とする。
【手続補正９】
【補正対象書類名】明細書
【補正対象項目名】００１３
【補正方法】変更
【補正の内容】
【００１３】
請求項６に記載の発明は、請求項１ないし４のいずれか１項に記載の商品陳列用フックにおいて、
前記フック本体及び前記アームは、繊維状充填材を含まない合成樹脂からなる、
ことを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項２記載の発明によれば、フック本体にアームを容易に取り付けることができる。
【手続補正１２】
【補正対象書類名】明細書
【補正対象項目名】００１７
【補正方法】変更
【補正の内容】
【００１７】
請求項３記載の発明によれば、アームに外力が作用した際のアームの破損を抑制することができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項４記載の発明によれば、態様の異なる複数種類の物品を陳列することができる。
【手続補正１５】
【補正対象書類名】明細書
【補正対象項目名】００２０
【補正方法】変更
【補正の内容】
【００２０】
請求項５記載の発明によれば、フック本体及びアームの剛性を増加させることができる。
【手続補正１６】
【補正対象書類名】明細書
【補正対象項目名】００２１
【補正方法】変更
【補正の内容】
【００２１】
請求項６記載の発明によれば、フック本体とアームの組み立て性を向上させることができる。